(57)【要約】【課題】本発明は漏水位置検知システムに関し、一般処分場のみならず、海面処分場においても、漏水箇所の位置とその大きさを把握できるようにすることが課題である。【解決手段】処分場２の底面若しくは傾斜面に敷設される遮水シート４と、該遮水シートの一方の片面側に配設されたパルス送信手段５と、前記遮水シートの他方の片面側にて複数箇所に配設されたパルス受信手段６と、前記パルス送信手段及びパスル受信手段に電気的に接続されパルスを送受信するパルス送受信制御装置７と、パルス送信からパルス受信までの時間により漏水位置を算出し当該受信パルスの大きさにより漏水箇所の孔の略大きさを算出するプログラム８と、により前記遮水シート４の漏水箇所１１と略その大きさを算出する漏水位置検知システム１である。【選択図】図２
2005134234.tif 000002
【特許請求の範囲】
【請求項１】
処分場の底面若しくは傾斜面に敷設される遮水シートと、該遮水シートの一方の片面側に配設されたパルス送信手段と、前記遮水シートの他方の片面側にて複数箇所に配設されたパルス受信手段と、前記パルス送信手段及びパスル受信手段に電気的に接続されパルスを送受信する制御装置と、パルス送信からパルス受信までの時間により漏水位置を算出し当該受信パルスの大きさにより漏水箇所の孔の略大きさを算出するプログラムと、により前記遮水シートの漏水箇所と略その大きさを算出すること、
を特徴とする漏水位置検知システム。
【請求項２】
処分場が海面処分場であって、パルス送信手段が海水面近傍に配設されていること、
を特徴とする請求項１に記載の漏水位置検知システム。
【発明の詳細な説明】
【技術分野】
【０００１】
本発明は、管理型終末処理場等の処理場における漏水位置検知システムに関するものである。
【背景技術】
【０００２】
一般廃棄物や産業廃棄物、若しくは汚染土壌等を処分場にて終末処理するため、地盤を掘削して遮水シートを敷設し、漏水を防止するようにしている。しかし、前記遮水シートが破損して、そこから有害物質を含んで雨水等が漏水して周囲の河川や地下水に入り込み、環境汚染となるおそれがある。
【０００３】
そこで、このような遮水シートの破損箇所を早期発見するために、従来例１：例えば、絶縁性のシートの間に導電性の線材からなるセンサー素材を配設し、隣接するセンサー素材の一方にパルスを発生させ、他方のセンサー素材に帰る応答波形により漏水位置を検知する方法が知られており（特許文献１参照）、また、従来例２：遮水シートにワイヤ状電極をその上下に配設し、上下の電極間の電流を検知してその位相を検波することで、検波出力値の差分値により極性が反転する位置により、破損箇所を特定する方法が知られている（特許文献２参照）。
【特許文献１】特開平９−３１８４８２号公報
【特許文献２】特開平５−５２６９９号公報
【０００４】
しかし、前記従来例１では、破損箇所からの漏水による導通をパルスの波形で検出するので、水分が廃棄物や土壌等に含まれてしまっている海面処分場では使用できないものである。また、前記従来例２では、漏水箇所を特定するには多くの電極を配置しなければならず、更に、温度や塩分濃度等の外乱の影響を受けやすいという課題がある。
【発明の開示】
【発明が解決しようとする課題】
【０００５】
解決しようとする問題点は、簡易な構成のシステムにして一般処分場及び海面処分場に適した漏水検知システムが提供されていない点である。
【課題を解決するための手段】
【０００６】
本発明に係る漏水位置検知システムは、処分場の底面若しくは傾斜面に敷設される遮水シートと、該遮水シートの一方の片面側に配設されたパルス送信手段と、前記遮水シートの他方の片面側にて複数箇所に配設されたパルス受信手段と、前記パルス送信手段及びパスル受信手段に電気的に接続されパルスを送受信する制御装置と、パルス送信からパルス受信までの時間により漏水位置を算出し当該受信パルスの大きさにより漏水箇所の孔の略大きさを算出するプログラムと、により前記遮水シートの漏水箇所と略その大きさを算出するものである。
【０００７】
前記処分場が海面処分場であって、パルス送信手段が海水面近傍に配設されていることを含むものである。
【発明の効果】
【０００８】
本発明の漏水位置検知システムによれば、遮水シートを挟んでパルス送受信手段が配置され、複数箇所の受信手段によるパルスの受信までの時間により、漏水箇所の位置が特定される。これにより、一般処分場のみならず、海面処分場においても使用できるシステムとなる。また、パルスの波形（電流値）の大きさにより、破損箇所の穴の大きさを検出することもできる。
【発明を実施するための最良の形態】
【０００９】
本発明に係る漏水検知システム１の構成は、図１に示すように、一般の終末処分場又は海面処分場等の処分場２の底面若しくは傾斜面３に、敷設される遮水シート４と、該遮水シート４の一方の片面側に配設されたパルス送信手段５と、前記遮水シート４の他方の片面側にて複数箇所に配設されたパルス受信手段６と、前記パルス送信手段５及びパルス受信手段６に電気的に接続されパルスを送受信する制御装置７とが設けられている。
【００１０】
前記制御装置７には、図２に示すように、前記パルス送信からパルス受信までの時間により漏水位置を算出し、当該受信パルスの大きさにより漏水箇所の孔の略大きさを算出する、演算部におけるプログラム８と、結果表示用のディスプレイ９と、印字する印刷装置１０とが設けられている。
【００１１】
前記パルス送信手段５は、海面近傍に送信パルス電極５ａが一カ所に配設される。また、パルス受信手段６の受信パルス電極Ｓ１，Ｓ２，Ｓ３，Ｓ４は、図３に示すように、一例として、中央部の前記電極５ａに対して、等距離にして４隅に配置する。これを基本的配置として、検知範囲が広範囲になれば、当該基本構成を、複数箇所に配設するものである。
【００１２】
このように構築される漏水検知システム１の検知方法について説明する。まず、前記制御装置７により送信手段５を介して前記送信パルス電極５ａから立ち上がりの急峻な高周波パルスを発信する。すると、図１及び図５（Ａ）に示すように、前記パルスが遮水シート４を回り込んで４カ所の前記各受信パルス電極Ｓ１〜Ｓ４に到達する。その結果、図４に示すように、到達時間は、距離が同じなので各電極Ｓ１〜Ｓ４まで同じである。これが、遮水シート４に破損箇所がない場合である。
【００１３】
次に、前記遮水シート４に破損箇所１１があると、図１及び図３に示すように、送信パルス電極５ａからのパルスが破損箇所から侵入して各受信パルス電極Ｓ１〜Ｓ４に到達する。すると、前記破損箇所１１に近い受信パルス電極Ｓ１，Ｓ３においては、図４に示すように、通常の遮水シート４の回り込みによる到達時間よりも短い時間で到達し、オシロスコープに破損受信パルス１と破損受信パルス２とが、それぞれに現れる。
【００１４】
前記到達時間ｔ（ｔ１，ｔ２）により、表電極の送信パルス電極５ａと、裏電極の受信パルス電極Ｓ１，Ｓ３までの距離が判る。それにより、演算部のプログラム８により、遮水シート４上の破損箇所１１の位置が特定される。例えば、図３に示すように、三角測量により、前記破損箇所１１の特定には、前記両パスル電極Ｓ１，Ｓ３までの到達時間の差により特定される。
【００１５】
即ち、前記到達時間ｔにおいて、前記送信パルス電極５ａと破損箇所１１までの距離ａは、両方の経路で同じなので到達時間も同じである。よって、前記到達時間の差（ｔ２−ｔ１）は、前記破損箇所１１から受信パルス電極Ｓ１，Ｓ３までの到達時間の差であり、言い換えれば、距離の差（＝ｃ−ｂ）ということになる。
【００１６】
そこで、図６に示すように、前記破損箇所１１から受信パルス電極Ｓ１，Ｓ３までの距離の差は、両パスル電極Ｓ１，Ｓ３からある距離にて離隔している遮水シート４の面上の点で考えると、２経路（条件によっては１経路）（距離の差＝ｃ−ｂ＝ｃ１−ｂ１）あることになるが、前記距離ａを含めたａ＋ｂ又はａ＋ｃの経路の到達時間が判っているので、破損箇所が例えばＡの方であることが特定されるのである。
【００１７】
また、前記破損受信パルス１，２のレベルの大きさ（パルス値）から、前記遮水シート４の破損箇所１１の大きさが算出される。この破損箇所の大きさに関しては、破損受信パルスのレベルと破損箇所の大きさとを、予めキャリブレーションを行って、その結果により関連付けておくものである。
このように、遮水シート４の両側に発信パルス電極５ａと受信パルス電極Ｓ１〜Ｓ４とを配設することで、一般処分場又は海面処分場での前記遮水シートの破損箇所の位置を特定し、その大きさも略判るようになったものである。
【図面の簡単な説明】
【００１８】
【図１】本発明に係る漏水位置検知システム１の概要を示す説明図である。
【図２】同漏水位置検知システム１の概略構成図である。
【図３】同漏水位置検知システム１における、受信パルス電極ｓ１，ｓ２，ｓ３，ｓ４の配置を示す説明図である。
【図４】同漏水位置検知システム１において、破損受信パルスが受信された時間とそのレベルを示すオシロスコープの説明図である。
【図５】同漏水位置検知システム１の、送信パルス電極５ａから送信されたパルスの伝達経路を示す説明図（Ａ），（Ｂ）である。
【図６】同漏水位置検知システム１における漏水箇所を特定する方法を説明する説明図である。
【符号の説明】
【００１９】
１    漏水位置検知システム、
２    処分場、
３    傾斜面、
４    遮水シート、
５    パルス送信手段、      ５ａ      送信パルス電極（表電極）、
６    パルス受信手段、
７    制御装置、
８    プログラム、
９    ディスプレイ、
１１  破損箇所。
【図１】
2005134234.tif 000003
【図２】
2005134234.tif 000004
【図３】
2005134234.tif 000005
【図４】
2005134234.tif 000006
【図５】
2005134234.tif 000007
【図６】
2005134234.tif 000008